(57)【特許請求の範囲】
【請求項１】
目地部を介して設けられた左右の建物の天井部材の上部位置の目地部側の左右の壁面に両端部が取付けられ、かつ伸縮可能で、中央部に中央枢支部が形成された少なくとも２個以上の中央維持装置と、この少なくとも２個以上の中央維持装置の中央枢支部に取付けられた吊り下げ杆を介して、該吊り下げ杆の下端部に固定された左右側の上面が左右側へ突出する傾斜面の中央部の目地部を覆う、前記天井部材とほぼ同一面となる中央天井目地カバーと、この中央天井目地カバーの傾斜面に、先端部が面接触し、後端部が前記左右の建物の目地部側の壁面に左右のヒンジ部材を介して、先端部が下方へ回動できるように取付けられた左右の天井目地カバーと、この左右の天井目地カバーの先端部が水平状態より上方へ回動することなく保持でき、かつ地震で目地部が狭くなると先端部を下方へ回動させることができる左右の天井目地カバー付勢機構とからなることを特徴とする天井用目地装置。
【請求項２】
中央天井目地カバーは目地部の幅寸法の３分の１あるいは４分の１の幅寸法であることを特徴とする請求項１記載の天井用目地装置。
【請求項３】
左右の天井目地カバー付勢機構は左右の天井目地カバーの後端部にそれぞれ取付けられた先端部が上方へ突出する一対のアームと、この一対のアームの先端部に一端部が取付けられ、他端部が引張りスプリングあるいは巻き取り装置に取付けられた一対の付勢ワイヤーとからなることを特徴とする請求項１記載の天井用目地装置。
【発明の詳細な説明】
【技術分野】
【０００１】
本発明は大きな幅寸法の目地部を介して設けられた免震ビル等の左右の建物の天井部分の目地部を覆う天井用目地装置に関する。
【背景技術】
【０００２】
従来、この種の天井用目地装置は左右の建物の目地部側の壁面にヒンジ部材を介して一対の天井目地カバーを配置し、該一対の天井目地カバーを常時は水平状態に保持し、目地部が狭くなると該一対の天井目地カバーの遊端部を上方へ回動させるリンクを用いたり、あるいは構造を簡単にするため、一対の天井目地カバーの遊端部を室内側へ突出させる天井目地カバー支持機構を用いていた。
【０００３】
しかしながら、免震ビルのように目地部の幅寸法が大きい場合、一対の天井目地カバーが大きくなり、リンクでスムーズに一対の天井目地カバーを回動させることができないという欠点があるとともに、室内側へ突出させる天井目地カバー支持機構を用いるものは、目地部が狭くなる地震時に人の頭部等に天井目地カバーがぶつかってしまうという危険が生じるという欠点があった。
【先行技術文献】
【特許文献】
【０００４】
【特許文献１】特開２００４−３３２２５８号公報
【発明の概要】
【発明が解決しようとする課題】
【０００５】
本発明は以上のような従来の欠点に鑑み、目地部の幅寸法が大きくても、一対の天井目地カバーの幅寸法を小さく設定でき、スムーズに回動させることができるとともに、大きく室内側へ突出することのない、構造が簡単で、設置が容易な天井用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた左右の建物の天井部材の上部位置の目地部側の左右の壁面に両端部が取付けられた伸縮可能で、かつ中央部に中央枢支部が形成された少なくとも２個以上の中央維持装置と、この少なくとも２個以上の中央維持装置の中央枢支部に取付けられた吊り下げ杆の下端部に固定された左右側の上面が左右側へ突出する傾斜面に形成された中央部の目地部を覆う、前記天井部材とほぼ同一面となる中央天井目地カバーと、この中央天井目地カバーの傾斜面に、傾斜面に形成された先端部が面接触し、後端部が前記左右の建物の目地部側の壁面に左右のヒンジ部材を介して、先端部が下方へ回動できるように取付けられた左右の天井目地カバーと、この左右の天井目地カバーの先端部が水平状態より上方へ回動することなく保持でき、かつ地震で目地部が狭くなると先端部を下方へ回動させることができる左右の天井目地カバー付勢機構とで天井用目地装置を構成している。
【発明の効果】
【０００９】
以上の説明から明らかなように、本発明にあっては次に列挙する効果が得られる。
（１）請求項１により、中央天井目地カバーと左右の天井目地カバーで天井目地部を覆っているので、大きな幅寸法の天井目地部でも左右の天井目地カバーを小さな幅寸法のものを使用することができる。
したがって、スムーズに回動させることができるとともに、室内へ突出したとしても、小さな突出量ですみ、安全に使用することができる。
（２）前記（１）により、中央天井目地カバーと左右の天井目地カバーを、軽量な構造のものを使用することができ、取り扱いが容易で、容易に設置することができる。
（３）前記（１）により、天井部材の上部に中央維持装置および左右の目地カバー付勢機構の設置スペースがあればよいので、小さな設置スペースの所にでも設置することができる。
（４）請求項２も前記（１）〜（３）と同様な効果が得られるとともに、地震で目地部が狭くなる時に、確実に室内側へ突出する量を規制することができる。
（５）請求項３も前記（１) 〜（３） と同様な効果が得られるとともに、一対のアームで、小さな力で左右の天井目地カバーをほぼ水平状態になるように保持することができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の中央維持装置の説明図。
【図５】本発明を実施するための第１の形態の中央天井目地カバーの説明図。
【図６】本発明を実施するための第１の形態の左右の天井目地カバーの説明図。
【図７】本発明を実施するための第１の形態の左右の天井目地カバー付勢機構の説明図。
【図８】本発明を実施するための第１の形態の地震で目地部が狭くなった動作説明図。
【図９】本発明を実施するための第１の形態の地震で目地部が広くなった動作説明図。
【図１０】本発明を実施するための第２の形態の平面図。
【図１１】図１０の１１−１１線に沿う断面図。
【図１２】本発明を実施するための第２の形態の左右の天井目地カバー付勢機構の説明図。
【図１３】本発明を実施するための第３の形態の平面図。
【図１４】図１３の１４−１４線に沿う断面図。
【図１５】本発明を実施するための第３の形態の中央維持装置の説明図。
【図１６】本発明を実施するための第４の形態の平面図。
【図１７】図１６の１７−１７線に沿う断面図。
【図１８】本発明を実施するための第４の形態の中央維持装置の説明図。
【発明を実施するための形態】
【００１１】
以下、図面に示す本発明を実施するための形態により、本発明を詳細に説明する。
【００１２】
図１ないし図９に示す本発明を実施するための第１の形態において、１は大きな目地部２の幅寸法Ｌを介して設けられた左右の建物３、３の天井部材４、４間の天井目地部２を覆う本発明の天井用目地装置で、この天井用目地装置１は前記天井部材４、４の上部位置の目地部側の左右の壁面５、５に両端部が取付けられた伸縮可能で、かつ中央部に中央枢支部６が形成された少なくとも２個以上の中央維持装置７、７と、この少なくとも２個以上の中央維持装置７、７の中央枢支部６、６に取付けられた吊り下げ杆８、８の下端部に固定された左右側の上面が左右側へ突出する傾斜面９、１０に形成された中央部の天井目地部２を覆う、前記天井部材４、４とほぼ同一面となり、かつ目地部の幅寸法の３分の１あるいは４分の１の幅寸法の中央天井目地カバー１１と、この中央天井目地カバー１１の傾斜面９、１０に、傾斜面１２、１２に形成された先端部が面接触し、後端部が前記左右の建物３、３の目地部側の壁面５、５に左右のヒンジ部材１３、１３を介して先端部が下方へ回動できるように取付けられた左右の天井目地カバー１４、１４と、この左右の天井目地カバー１４、１４の先端部が水平状態より上方へ回動することなく保持でき、かつ地震で目地部２が狭くなるように揺れ動くと、先端部を下方へ回動させることができる左右の天井目地カバー付勢機構１５、１５とで構成されている。
【００１３】
前記中央維持装置７、７は図４に示すように、四角枠形状のリンク本体１６と、このリンク本体１６の一方の対向する枢支部に枢支ピン１７、１７で枢支された壁面５に複数本のタッピングビス１８で取付けられる一対の取付け金具１９、１９と、前記リンク本体１６の対向するリンク部材１６ａ、１６ａのほぼ中央部に枢支ピン２０、２０で枢支され、かつ中央部に中央枢支部６が形成された中央リンク２１とで構成されている。
【００１４】
前記吊り下げ杆８、８は前記中央維持装置７、７の中央リンク２１、２１の中央枢支部６、６に挿入されるボルト状の吊り下げ杆本体２２と、この吊り下げ杆本体２２が前記中央リンク２１で遊ぶのを阻止する係止片２３と、前記吊り下げ杆本体２２の下端部と螺合して、前記中央天井目地カバー１１を取付けるナット２４とで構成されている。
【００１５】
前記中央天井目地カバー１１は図５に示すように、両側に傾斜面９、１０を有する逆等脚台形状の中央天井目地カバー本体２５と、この中央天井目地カバー本体２５の中央上面に固定された、前記吊り下げ杆８が挿入される挿入孔２６を有するハット形鋼形状の取付け金具２７、２７とで構成されている。
【００１６】
前記左右の天井目地カバー１４、１４は図６に示すように台形状に形成された左右の天井目地カバー本体２８、２８と、この左右の天井目地カバー本体２８、２８の後端上部で回動できるように、該左右の天井目地カバー本体２８、２８に取付けられた前記目地部側の壁面５、５にタッピングビス２９等で固定されるヒンジ部材１３、１３と、必要に応じて、前記左右の天井目地カバー本体２８、２８の上面に取付けられた目地部が狭くなると、前記中央天井目地カバー１１の傾斜面９、１０と当接して該左右の天井目地カバー本体２８、２８の先端部を下方へガイドして前記左右の天井目地カバー１４、１４の損傷を防止する円弧状、多角形状等、傾斜面９、１０に沿って下方へガイドすることができる形状のガイド部材３８，３８とで構成されている。
【００１７】
前記左右の天井目地カバー付勢機構１５、１５は図７に示すように、前記左右の天井目地カバー１４、１４の後端上部に上方へ突出するように形成された少なくとも一対、本発明の実施の形態では２対のアーム３０、３０、３０、３０と、この２対のアーム３０、３０、３０、３０の先端部に一端部が固定され、他端部が目地部側の壁面５、５に固定されたガイド部材３１、３１、３１、３１を通過して、該壁面５、５に固定されたスプリング３２、３２、３２、３２が介装されたワイヤー３３、３３、３３、３３と、前記左右の天井目地カバー１４、１４が水平状態より上方へ回動するのを阻止できるように、前記２対のアーム３０、３０、３０、３０と当接するように、前記目地部側の壁面５、５に固定されたストッパー片３４、３４、３４、３４とで構成されている。
【００１８】
上記構成の天井用目地装置１は、通常時には図２に示すように天井部材４、４とほぼ同一面の左右の天井目地カバー１４、１４および中央目地カバー１１で天井目地部２が覆われた状態となっている。
【００１９】
地震で目地部２が狭くなるように左右の建物３、３が揺れ動いた場合、図８に示すように左右の建物３、３が目地部２側へ寄ってきて、目地部２が狭くなり、中央維持装置７、７が左右の間隔よりも前後方向の間隔が大きくなるが、中央枢支部６、６が目地部２の中央部に位置するため、中央天井目地カバー１１は天井目地部２の中央部に位置するとともに、左右の天井目地カバー１４、１４は左右の天井目地カバー付勢機構１５、１５の付勢力に抗するとともに、中央天井目地カバー１１の両端部の傾斜面９、１０に沿って先端部が下方へ回動して、その揺れ動きを吸収する。揺れ動きが停止すると、自動的に元の状態へ戻る。
【００２０】
地震で目地部２が広くなるように左右の建物３、３が揺れ動いた場合、図９に示すように左右の建物３、３が離れ、目地部２が広くなり、中央維持装置７、７が左右の間隔よりも前後方向の間隔が小さくなるが、中央枢支部６、６が目地部２の中央部に位置するため、中央天井目地カバー１１は天井目地部２の中央部に位置するとともに、左右の天井目地カバー１４、１４は水平状態で中央天井目地カバー １１より離れて、その揺れ動きを吸収する。揺れ動きが停止すると、自動的に元の状態へ戻る。
【００２１】
[発明を実施するための異なる形態]
次に、図１０ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１０ないし図１２に示す本発明を実施するための第２の形態において、前記本発明を実施するための第１の形態と主に異なる点は、ワイヤー３３を巻き取り装置３５で常時巻き取るように付勢した左右の天井目地カバー付勢機構１５Ａ、１５Ａを用いた点で、このような左右の天井目地カバー付勢機構１５Ａ、１５Ａを用いて構成した天井用目地装置１Ａにしても、前記本発明を実施するための第１の形態と同様な作用効果が得られる。
【００２３】
図１３ないし図１５に示す本発明を実施するための第３の形態において、前記本発明を実施するための第１の形態と主に異なる点は、パンタグラフ形状の中央維持装置７Ａ、７Ａを用いるとともに、中央天井目地カバー１１の中央部にボルトの頭部８ａを収納することのできるボルト挿入孔３６、３６を形成し、該ボルト挿入孔３６、３６に挿入したボルト形状の吊り下げ杆８の上部を中央維持装置７Ａ、７Ａの中央枢支部６、６に先端部を挿入して、ナット３７、３７で取付けた点で、このように構成した天井用目地装置１Ｂにしても、前記本発明を実施するための第１の形態と同様な作用効果が得られる。
【００２４】
図１６ないし図１８に示す本発明を実施するための第４の形態において、前記本発明を実施するための第１の形態と主に異なる点は、目地部側の壁面５、５にほぼ水平状態で固定した一対のレール４０、４０、この一対のレール４０、４０に両端部がスライド移動可能に設置された傾斜状態の中央枢支部６が設けられたスライドアーム３９，３９、このスライドアーム３９，３９の中央枢支部６に枢支された複数個の吊り下げ杆８が所定間隔で取付けられる支持バー４１とからなる中央維持装置７Ｂを使用した点で、このような中央維持装置７Ｂを使用した天井用目地装置１Ｃにしても、前記本発明を実施するための第１の形態と同様な作用効果が得られる。
【産業上の利用可能性】
【００２５】
本発明は大きな目地部を介して設けられた左右の建物の天井目地部を覆う天井用目地装置を製造する産業で利用される。
【符号の説明】
【００２６】
１、１Ａ、１Ｂ、１Ｃ：天井用目地装置、
２：目地部、        Ｌ：幅寸法、    
３：建物、        ４：天井部材、
５：壁面、        ６：中央枢支部、
７、７Ａ、７Ｂ：中央維持装置、  ８：吊り下げ杆、
９、１０：傾斜面、      １１：中央天井目地カバー、
１２：傾斜面、      １３：ヒンジ部材、
１４：左右の天井目地カバー、
１５、１５Ａ：左右の天井目地カバー付勢機構、
１６：リンク本体、      １７：枢支ピン、
１８：タッピングビス、    １９：取付け金具、
２０：枢支ピン、      ２１：中央リンク、
２２：吊り下げ杆本体、    ２３：係止片、
２４：ナット、      
２５：中央天井目地カバー本体、
２６：挿入孔、      ２７：取付け金具、
２８：左右の天井目地カバー本体、
２９：タッピングビス、    ３０：アーム、
３１：ガイド部材、      ３２：スプリング、
３３：ワイヤー、      ３４：ストッパー片、
３５：巻き取り装置、    ３６：ボルト挿入孔、
３７：ナット、                ３８：ガイド部材、
３９：スライドアーム、        ４０：レール、
４１：支持バー。
【図１】
0005278972.tif 000002
【図２】
0005278972.tif 000003
【図３】
0005278972.tif 000004
【図４】
0005278972.tif 000005
【図５】
0005278972.tif 000006
【図６】
0005278972.tif 000007
【図７】
0005278972.tif 000008
【図８】
0005278972.tif 000009
【図９】
0005278972.tif 000010
【図１０】
0005278972.tif 000011
【図１１】
0005278972.tif 000012
【図１２】
0005278972.tif 000013
【図１３】
0005278972.tif 000014
【図１４】
0005278972.tif 000015
【図１５】
0005278972.tif 000016
【図１６】
0005278972.tif 000017
【図１７】
0005278972.tif 000018
【図１８】
0005278972.tif 000019